(57)【特許請求の範囲】
【請求項１】
脚体上に天板支持機構を介して天板を使用姿勢と跳ね上げ姿勢との間で回動し得るように支持してなるフラップ天板付家具であって、
前記天板支持機構が、前記脚体に取付けられ第一の係止部及び第二の係止部を有した軸プレートと、この軸プレートに支軸を介して回動可能に枢支され前記天板を支持する天板受けと、この天板受けに設けられ前記軸プレートの第一の係止部及び第二の係止部に選択的に係わり合って前記天板を使用姿勢又は跳ね上げ姿勢に保持するロック爪とを備えたものであり、
前記軸プレートが、前記第一の係止部と、この第一の係止部に対して厚み方向に偏位させて設けられた第二の係止部とを備えたものであり、
前記ロック爪が、前記第一の係止部に係合する水平ロック部と、前記第二の係止部に係合する跳ね上げロック部とを一体に備えたものであるフラップ天板付家具。
【請求項２】
前記軸プレートが、前記脚体に取付けられる取付部とこの取付部の上に設けられたヘッド部とを備えたものであり、
前記ヘッド部が、前記使用姿勢において前記天板受けを係止する上端面を備えたヘッド部本体と、このヘッド部本体の側面に一体に設けられ前記第一の係止部を有する第一の爪受けと、この第一の爪受けの側面に一体に設けられ前記第二の係止部を有する第二の爪受けとを備えたものである請求項１記載のフラップ天板付家具。
【請求項３】
前記ロック爪が、側面視鎌形の前記水平ロック部と、この水平ロック部の側面に一体に形成されたアーム状の前記跳ね上げロック部とを備えたものである請求項１又は２記載のフラップ天板付家具。
【請求項４】
前記跳ね上げロック部が、前記水平ロック部と比較して長尺である請求項１、２又は３記載のフラップ天板付家具。
【請求項５】
前記軸プレートが、前記脚体に取付けられる取付部とこの取付部の上に設けられたヘッド部とを備えたものであり、
前記ヘッド部が、前記使用姿勢において前記天板受けを係止する上端面を備えたヘッド部本体と、このヘッド部本体の側面に一体に設けられ前記第一の係止部を有する第一の爪受けとを備えたものであって、
第一の爪受けは、前記ヘッド部本体と面一な前面を有し、前記第一の係止部が前記前面及び内側面に開口し前記水平ロック部の先端部と係合可能な凹陥形状をなすものである請求項３又は４記載のフラップ天板付家具。
【請求項６】
前記軸プレートが、前記脚体に取付けられる取付部とこの取付部の上に設けられたヘッド部とを備えたものであり、
前記ヘッド部が、前記使用姿勢において前記天板受けを係止する上端面を備えたヘッド部本体と、このヘッド部本体の側面に一体に設けられ前記第一の係止部を有する第一の爪受けと、この第一の爪受けの側面に一体に設けられ前記第二の係止部を有する第二の爪受けとを備えたものであって、
前記第二の爪受けは、前面を前記ヘッド部本体の前面よりも後方に控えた状態で前記第一の爪受けの内側面に一体に突設されたものであり、前記第二の係止部がこの第二の爪受けの上面に凹設されたものである請求項３、４又は５記載のフラップ天板付家具。
【請求項７】
前記ヘッド部本体の上端面と、前記第一の爪受けの上端面と、前記第二の爪受けの上端面とが面一である請求項２記載のフラップ天板付家具。
【請求項８】
前記ロック爪が、前記支軸から偏位させて設けられたロック爪駆動軸を中心として回動可能である請求項１、２、３、４、５、６又は７記載のフラップ天板付家具。
【発明の詳細な説明】
【技術分野】
【０００１】
本発明は、オフィスや学校等に用いられ、天板が使用姿勢から跳ね上げ姿勢までの間でフラップ動作し得るフラップ天板付家具に関する。
【背景技術】
【０００２】
オフィスにおける会議等に用いられる天板付家具として、天板が使用姿勢から跳ね上げ姿勢までの間でフラップ動作し得るフラップ天板付家具が広く知られている。従来のものは、脚体の上部に１枚の厚板素材を加工して作られた軸プレートを固着し、その軸プレートに支軸を介して天板受けを回動可能に支持させ、前記軸プレートの前面を凹陥させて設けた第一の係止部に鎌形のロック爪の屈曲部全体を係り合わせることにより天板受けを前記使用姿勢にロックさせる状態と、前記軸プレートの上面を凹陥させて設けた第二の係止部に前記ロック爪の屈曲部の先端角部をに係り合わせることにより天板受けを前記跳ね上げ姿勢にロックさせる状態とを選択的にとり得るようにしている（例えば、特許文献１を参照）。
【０００３】
ところで、天板を安定して使用姿勢に保持するためには、天板の回動中心と第一の係止部との間を離間させることが望ましい。しかし、従来のこの種のフラップ天板付家具の構成、すなわち第一の係止部と第二の係止部とを軸プレートの厚み方向同一位置に設けた構成のものにおいて、天板の回動中心と係止部との間を離間させた場合、ロック爪として大型のものを採用せざるを得なくなる。その結果、特に第一の係止部を軸プレートに形成するために大きな切欠きを設ける必要が生じ、軸プレートの強度が損なわれる不具合が発生する。
【先行技術文献】
【特許文献】
【０００４】
【特許文献１】特開平７−１９４４３５号公報
【発明の概要】
【発明が解決しようとする課題】
【０００５】
本発明は以上の点に着目し、天板が使用姿勢から跳ね上げ姿勢までの間でフラップ動作し得るフラップ天板付家具において、いたずらに大型のロック爪を用いることなく、また、軸プレートの強度を損なうことなく、天板をより安定して使用姿勢及び跳ね上げ姿勢に保持させることを目的とする。
【課題を解決するための手段】
【０００６】
以上の課題を解決すべく、本発明に係るフラップ天板付家具は、以下に述べるような構成を有する。すなわち本発明に係るフラップ天板付家具は、脚体上に天板支持機構を介して天板を使用姿勢と跳ね上げ姿勢との間で回動し得るように支持してなるものであって、前記天板支持機構が、前記脚体に取付けられ第一の係止部及び第二の係止部を有した軸プレートと、この軸プレートに支軸を介して回動可能に枢支され前記天板を支持する天板受けと、この天板受けに設けられ前記軸プレートの第一の係止部及び第二の係止部に選択的に係わり合って前記天板を使用姿勢又は跳ね上げ姿勢に保持するロック爪とを備えたものであり、前記軸プレートが、前記第一の係止部と、この第一の係止部に対して厚み方向に偏位させて設けられた第二の係止部とを備えたものであり、前記ロック爪が、前記第一の係止部に係合する水平ロック部と、前記第二の係止部に係合する跳ね上げロック部とを一体に備えたものである。
【０００７】
このようなものであれば、ロック爪の跳ね上げロック部を長尺のものとし、天板の回動中心と係止部との間を離間させて天板をより安定して跳ね上げ姿勢に保持できるようにしつつ、水平ロック部には小型のものを用いることで、第一の係止部である切欠きを小さくし、軸プレートの強度を確保することが可能となる。
【０００８】
なお、本発明において、「軸プレート」とは、必ずしも薄板状である必要はなく、厚みを有したブロック状のものであってもよい。
【０００９】
このようなフラップ天板付家具を容易に実現するための軸プレートの具体的な構成の一例として、前記脚体に取付けられる取付部とこの取付部の上に設けられたヘッド部とを備えたものであり、前記ヘッド部が、前記使用姿勢において前記天板受けを係止する上端面を備えたヘッド部本体と、このヘッド部本体の側面に一体に設けられ前記第一の係止部を有する第一の爪受けと、この第一の爪受けの側面に一体に設けられ前記第二の係止部を有する第二の爪受けとを備えたものであるものが挙げられる。
【００１０】
また、このようなフラップ天板付家具を容易に実現するためのロック爪の具体的な構成の一例として、側面視鎌形の前記水平ロック部と、この水平ロック部の側面に一体に形成されたアーム状の前記跳ね上げロック部とを備えたものが挙げられる。
【００１１】
前記跳ね上げロック部が、前記水平ロック部と比較して長尺であれば、天板の回動中心と係止部との間を離間させ、天板をより安定して跳ね上げ姿勢に保持できるようにするための構成を容易に実現できる。
【００１２】
特に、前記軸プレートが、前記脚体に取付けられる取付部とこの取付部の上に設けられたヘッド部とを備えたものであり、前記ヘッド部が、前記使用姿勢において前記天板受けを係止する上端面を備えたヘッド部本体と、このヘッド部本体の側面に一体に設けられ前記第一の係止部を有する第一の爪受けとを備えたものであって、第一の爪受けが前記ヘッド部本体と面一な前面を有し、前記第一の係止部が前記前面及び内側面に開口し前記水平ロック部の先端部と係合可能な凹陥形状をなすものであれば、側面視鎌形の前記水平ロック部を無理なく前記第一の係止部に係止させることができる。
【００１３】
また、前記軸プレートが、前記脚体に取付けられる取付部とこの取付部の上に設けられたヘッド部とを備えたものであり、前記ヘッド部が、前記使用姿勢において前記天板受けを係止する上端面を備えたヘッド部本体と、このヘッド部本体の側面に一体に設けられ前記第一の係止部を有する第一の爪受けと、この第一の爪受けの側面に一体に設けられ前記第二の係止部を有する第二の爪受けとを備えたものであって、前記第二の爪受けが、前面を前記ヘッド部本体の前面よりも後方に控えた状態で前記第一の爪受けの内側面に一体に突設されたものであり、前記第二の係止部がこの第二の爪受けの上面に凹設されたものであれば、前記天板を回動させて跳ね上げ姿勢から使用姿勢に、またはその逆にする際に、アーム状の跳ね上げロック部が長尺のものであっても第二の爪受けを乗り越えて移動させるようにすることが可能になる。
【００１４】
このようなフラップ天板付家具において、天板を安定して使用位置に保持させることを可能にする軸プレートの構成の一例として、前記ヘッド部本体の上端面と、前記第一の爪受けの上端面と、前記第二の爪受けの上端面とが面一であるものが挙げられる。このようなものであれば、軸プレートの上端面全体で天板を保持させる態様を実現できるからである。
【００１５】
そして、前記ロック爪が、前記支軸から偏位させて設けられたロック爪駆動軸を中心として回動可能であれば、支軸とロック爪駆動軸との距離を大きくとることにより、天板をがたなく支持させるようにできる。
【発明の効果】
【００１６】
本発明によれば、天板が使用姿勢から跳ね上げ姿勢までの間でフラップ動作し得るフラップ天板付家具において、いたずらに大型のロック爪を用いることなく、また、軸プレートの強度を損なうことなく、天板をより安定して使用姿勢及び跳ね上げ姿勢に保持させることができる。
【図面の簡単な説明】
【００１７】
【図１】本発明の一実施形態に係るフラップ天板付家具の使用姿勢を示す斜視図。
【図２】同実施形態に係るフラップ天板付家具の使用姿勢を示す側面図。
【図３】同実施形態に係るフラップ天板付家具の跳ね上げ姿勢を示す斜視図。
【図４】同実施形態に係るフラップ天板付家具の跳ね上げ姿勢を示す側面図。
【図５】同実施形態に係るフラップ天板付家具の跳ね上げ姿勢をとる場合の要部を拡大して示す正面図。
【図６】図５におけるＡ−Ａ断面図。
【図７】図５におけるＢ−Ｂ断面図。
【図８】図５におけるＣ−Ｃ断面図。
【図９】同実施形態に係るフラップ天板付家具を示す分解斜視図。
【図１０】同実施形態に係る天板支持機構を示す分解斜視図。
【図１１】同実施形態に係る天板支持機構を示す分解斜視図。
【図１２】同実施形態に係るフラップ天板付家具の使用姿勢をとる場合の要部を拡大して示す正面図。
【図１３】図１２におけるＤ−Ｄ断面図。
【図１４】図１２におけるＥ−Ｅ断面図。
【図１５】図１２におけるＦ−Ｆ断面図。
【図１６】同実施形態に係る天板支持機構の作動説明図。
【図１７】同実施形態に係る天板支持機構の作動説明図。
【図１８】同実施形態に係る天板支持機構の作動説明図。
【図１９】本発明の他の実施形態に係るフラップ天板付家具の使用姿勢を示す斜視図。
【図２０】同実施形態に係るフラップ天板付家具の跳ね上げ姿勢を示す斜視図。
【図２１】同実施形態に係るフラップ天板付家具を示す分解斜視図。
【図２２】同実施形態に係る天板支持機構を示す分解斜視図。
【図２３】同実施形態に係る天板支持機構を示す分解斜視図。
【発明を実施するための形態】
【００１８】
以下、本発明の一実施形態について図面を参照して説明する。
【００１９】
この実施形態は、図１〜図１８に示すように、本発明をいわゆるフラップテーブルと称されるフラップ天板付家具に適用した場合のものである。
【００２０】
このフラップ天板付家具は、図１〜図４及び図９に示すように、左右対をなす脚体１Ａ、１Ｂと、これら脚体１Ａ、１Ｂ上に配される天板２と、この天板２を前記各脚体１Ａ、１Ｂに使用姿勢（Ｕ）から跳ね上げ姿勢（Ｆ）までの間でフラップ動作し得るように支持させる左右対をなす天板支持機構３Ａ、３Ｂと、これら両天板支持機構３Ａ、３Ｂ同士を結合させる連結ビーム４とを具備してなる。そして、前記左右の天板支持機構３Ａ、３Ｂと、これら天板支持機構３Ａ、３Ｂ同士を結合させる連結ビーム４とを主体としてプラットフォーム化の中核となるメカユニット５が構成されている。以下、前記各構成要素について詳述する。
【００２１】
＜脚体＞
前記左の脚体１Ａは、図１〜図４及び図９に示すように、前後方向に延伸する脚ベース１１と、この脚ベース１１の長手方向中央部から起立する支柱１２と、前記脚ベース１１の前後両端にそれぞれ設けたキャスタ１４とを備えてなる。
【００２２】
前記右の脚体１Ｂは、図１〜図４及び図９に示すように、以上説明した左の脚体１Ａと左右対称形状をなすものであり、同一又は対応する部分には同一の符号を付して説明を省略する。
【００２３】
＜天板＞
前記天板２は、図１、図３及び図９に示すように、左右方向に細長い長方形状をなすものであり、例えば通常の木製天板と同様な構成をなしている。この天板２の下面２ａの両使用端の中間には、補強材８が取り付けられている。そして、この天板２の下面２ａの左右両端部には、前記天板支持機構３を構成する天板受け３２が取り付けられる。
【００２４】
＜天板支持機構＞
前記左の天板支持機構３Ａは、図５〜図１５に示すように、前記脚体１Ａに取り付けられる軸プレート３１と、この軸プレート３１に軸支持され上面で前記天板２を受ける天板受け３２と、この天板受け３２を前記使用姿勢（Ｕ）及び前記跳ね上げ姿勢（Ｆ）に選択的にロックするためのロック爪３３とを配してなるものである。すなわち、この天板支持機構３Ａは、前記脚体１Ａに取り付けられ上半にヘッド部３１２を有した軸プレート３１と、この軸プレート３１のヘッド部３１２に軸支持された天板受け３２と、この天板受け３２内に配設された天板ロック用のロック爪３３とを備えたものである。
【００２５】
前記軸プレート３１は、図５〜図１５に示すように、前記脚体１の内側面にボルト３１０を用いて取り付けられる取付部３１１と、この取付部３１１から上方に延出し前記天板受け３２を支軸３１３を介して軸支持するヘッド部３１２とを備えたものである。
【００２６】
前記軸プレート３１のヘッド部３１２は、図５〜図７及び１０〜図１３に示すように、ヘッド部本体３０３と、第一の爪受け３０１と、第二の爪受け３０２とを備えている。
【００２７】
前記ヘッド部本体３０３は、前記使用姿勢（Ｕ）に達した天板２を前記天板受け３２を介して上端面３０３ａにより受け止めるものである。
【００２８】
前記第一の爪受け３０１は、前記ヘッド部本体３０３の内側面がわに一体に設けられるものであり、前記ロック爪３３の後述する水平ロック部３３１が係わり合い前記天板２を使用姿勢（Ｕ）にロックする第一の係止部３０１ａを有する。この第一の爪受け３０１の前面３０１ｘは、前記ヘッド部本体３０３の前面３０３ｂと面一である。前記第一の係止部３０１ａは、前記前面３０１ｘ及び内側面３０１ｙに開口した凹陥形状をなすものである。
【００２９】
前記第二の爪受け３０２は、この第一の爪受け３０１の内側面３０１ｙに一体に設けられるものであり、前記ロック爪３３の後述する跳ね上げロック部３３２が係わり合い前記天板２を跳ね上げ姿勢（Ｆ）にロックする第二の係止部３０２ａを有する。また、この第二の爪受け３０２は、前面３０２ｘを前記ヘッド部本体３０３の前面３０３ｂよりも後方に控えた状態で前記第一の爪受け３０１の内側面３０１ｙに一体に突設された庇状のものである。前記第二の係止部３０２ａは、この第二の爪受け３０２の上端面３０２ｂに凹設された側面視Ｖ字形をなすものである。
【００３０】
ここで、前記ヘッド部本体３０３、前記第一の爪受け３０１及び前記第二の爪受け３０２からなるヘッド部３１２と、前記取付部３１１とを含む前記軸プレート３１は、アルミダイキャスト製のもので、一体に成形されている。前記第一の係止部３０１ａと前記第二の係止部３０２ａとは互いに厚み方向（左右方向）に偏位している。より具体的には、前記ヘッド部本体３０３の内側面がわに隣接させて前記第一の係止部３０１ａを含む第一の爪受け３０１を設けており、この第一の爪受け３０１のさらに内側面３０１ｙがわに隣接させて前記第二の係止部３０２ａを含む第二の爪受け３０２を設けている。これら爪受け３０１、３０２の上端面３０１ｂ、３０２ｂは、ヘッド部本体３０３の上端面３０３ａと面一に連続している。
【００３１】
前記天板受け３２は、図５〜図８及び図１０〜図１５に示すように、前記天板２の下面２１に取り付けられた上板３２１と、この上板３２１の両側縁から延出され前記ヘッド部３１２の両側に位置する対をなす側板３２２、３２３とを備えたものである。
【００３２】
前記上板３２１は、図５〜図８及び図１０〜図１５に示すように、天板２の下面２１に密着する平板状のもので、図示しない取付ビスを用いて天板２に取り付けられている。また、この上板３２１の下面における長手方向中央部には下方に突出した凸部３２１ａが設けられている。この凸部３２１ａは、前記使用姿勢（Ｕ）において、ヘッド部３１２におけるヘッド部本体３０３の上端面３０３ａ及び第一の爪受け３０１の上端面３０１ｂに衝き当たる。また、前記使用姿勢（Ｕ）において、上板３２１の前記凸部３２１ａ以外の部分と軸プレート３１のヘッド部３１２の上端面との間には、空間Ｃ３が形成されるようになっている。
【００３３】
前記側板３２２、３２３は、図５及び図１０〜図１２に示すように、この上板３２１の両側縁から延出され前記ヘッド部３１２の両側に位置する。前記天板受け３２の両側板３２２、３２３と前記ヘッド部３１２の間には、所定幅の隙間Ｃ１、Ｃ２が形成されている。前記両側板３２２、３２３には、前記支軸３１３が貫通する支軸用貫通孔３２５と、ロック爪３３を支持するロック爪駆動軸３３３が貫通するロック爪駆動軸用貫通孔３２６とが設けられている。
【００３４】
前記ロック爪３３は、図５〜図７及び図１０〜図１４に示すように、前記第一の係止部３０１ａに係合する側面視鎌形の水平ロック部３３１と、前記第二の係止部３０２ａに係合するアーム状の跳ね上げロック部３３２とを一体に備えており、基端部に前記ロック爪駆動軸３３３が一体回転可能に貫装されている。前記水平ロック部３３１と前記跳ね上げロック部３３２とは、互いに厚み方向に偏位している。すなわち、前記水平ロック部３３１の基端部の一側面に前記跳ね上げロック部３３２の基端部を隣接させて一体に形成されている。また、前記跳ね上げロック部３３２は前記水平ロック部３３１と比較して長尺であり、その先端部が前記第二の係止部３０２ａに係合しうるようになっている。前記ロック爪駆動軸３３３は、天板２が跳ね上げ姿勢（Ｆ）にある場合において、天板２が使用姿勢（Ｕ）にある場合よりもヘッド部本体３０３の上端面３０３ａ及び爪受け３０１、３０２の上端面３０１ｂ、３０２ｂから上方に離間した位置に配されている。前記ロック爪３３は、コイルスプリング３８により軸プレート３１の爪受け３０１、３０２方向に回動付勢されている。前記使用姿勢（Ｕ）においては、このロック爪３３の水平ロック部３３１が前記第一の爪受け３０１の第１の係止部３０１ａに係わり合うようになっている。一方、前記跳ね上げ姿勢（Ｆ）においては、前記跳ね上げロック部３３２が前記第二の爪受け３０２の第２の係止部３０２ａに係わり合うようになっている。なお、図５、図１０、図１１等においては、前記第２の係止部３０２ａの形状を明確に視認できるように、前記跳ね上げロック部３３２の先端が前記第２の係止部３０２ａから若干外れた状態で図示しているが、実際の跳ね上げ姿勢（Ｆ）においては、前記跳ね上げロック部３３２の先端が前記第２の係止部３０２ａに落ち込んで係わり合うようになっている。ここで、前記水平ロック部３３１の厚み寸法と前記第一の爪受け３０１の幅寸法とは略同一に設定されている。また、前記跳ね上げロック部３３２の厚み寸法と前記第二の爪受け３０２の幅寸法とも略同一に設定されている。そして、このロック爪３３の前記ロック爪駆動軸３３３から偏心した位置に駆動突起３３９が一体に設けられている。この駆動突起３３９は、進退部材３９を介してロック解除操作用の操作レバー３７から操作力の伝達を受けるようになっている。なお、図５〜図７及び図１０〜図１４において、このロック爪３３にはパターンを付している。
【００３５】
前記操作レバー３７は、前記天板受け３２の長手方向一端部すなわち前端部において側板３２２、３２３間に架設される板状の部材であり、基端部に軸３７０を回転可能に挿通させる軸受部３７１を有するとともに、先端縁に指掛け部３７２を有している。前記軸３７０の両端部は、前記天板受け３２の側壁３２２，３２３に抜出不能に支持されている。前記操作レバー３７は、この軸３７０に支持されており、天板受け３２の前端部における下面を閉塞する非操作位置（Ｎ）と、操作端側が天板受け３２から離間する操作位置（Ｍ）との間で回動しうるようになっている。前記軸３７０には、前記操作レバー３７を非操作位置（Ｎ）に自己復帰させるための付勢要素たる図示しないねじりコイルスプリングが装着されている。この操作レバー３７は、前記進退部材３９を介してロック爪３３の駆動突起３３９に接続されている。
【００３６】
前記進退部材３９は、前記操作レバー３７と前記ロック爪３３とを接続するものであり、直線状の部材本体３９１と、この部材本体３９１の基端部から外側方に向けて屈曲する屈曲部３９２と、前記部材本体３９１の先端部に折り返すように設けられた折り返し部３９３とを備えたものである。その上で、前記屈曲部３９２を前記操作レバー３７の偏心位置に枢着するとともに、前記部材本体３９１と折り返し部３９３との間に形成されるスリット３９４に前記ロック爪３３の駆動突起３３９をスライド可能に係わり合わせている。前記屈曲部３９２は、前記軸３７０と平行になる姿勢で前記操作レバー３７の基端近傍部に軸着されている。この進退部材３９と前記操作レバー３７と前記ロック爪３３との関係は、次のように設定されている。まず、前記操作レバー３７が非操作位置（Ｎ）に保持されている状態で前記ロック爪３３が初期位置（Ｓ）にある場合には、前駆駆動突起３３９が前記進退部材３９のスリット３９４の奥端３９４ａ近傍に位置しており、前記操作レバー３７が前記非操作位置（Ｎ）から前記操作位置（Ｍ）に回動操作された場合に前記駆動突起３３９が前記スリット３９４の奥端３９４ａに当接して付勢され、前記ロック爪３３がロック解除位置（Ｒ）に向けて回動するようになっている。一方、前記操作レバー３７が非操作位置（Ｎ）に保持されている状態で前記ロック爪３３が初期位置（Ｓ）からロック解除位置（Ｒ）に向けて回動した場合には、このロック爪３３の駆動突起３３９が前記スリット３９４内を遊動し、このロック爪３３の回動力は前記操作レバー３７に伝達されないように、各部の寸法を設定してある。
【００３７】
この天板支持機構３Ａは、前記軸プレート３１と天板受け３２との間に形成される空間を塞ぐようにして前記天板受け３２に設けられた第一の前面カバー３４、第二の前面カバー３５及び側面カバー３６を備えている。
【００３８】
前記第一の前面カバー３４は、前記操作レバー３７の後側に隣接させて前記天板受け３２の側板３２２、３２３間に架設された板状の部材である。この第一の前面カバー３４は、前記天板受け３２の両側板３２２、３２３間に形成される空間を前面から塞ぐ短冊状のもので、その前端部には、操作レバー３７に指を掛けることを容易にするための凹部３４ａを備えているとともに、その両側縁には、前記天板受け３２の両側板３２２、３２３に設けられた係合凹部３２７に弾性係合する弾性爪３４１を備えている。また、この第一の前面カバー３４の後端には、前記第二の前面カバー３５を軸支するための軸受部３４２を有している。なお、図３、図５及び図１２中において、当該第一の前面カバー３４は省略して示している。
【００３９】
前記第二の前面カバー３５は、天板受け３２の長手方向中央近傍に位置し、基端部に前記第一の前面カバー３４の軸受部３４２に軸支させるための軸３５１を備えている短冊状の部材である。この第二の前面カバー３５は、天板２が跳ね上げ姿勢（Ｆ）にあるときには前記軸プレート３１と天板受け３２との間に形成される空間を前面から塞ぐように構成されている。また、前記第二の前面カバー３５は、天板２が使用姿勢（Ｕ）にあるときに、自重により前記第一の前面カバー３４の軸受部３４２から垂下するように構成されている。なお、図３、図５及び図１２中において、当該第二の前面カバー３５は省略して示している。
【００４０】
前記側面カバー３６は、天板受け３２の両側板３２２、３２３間に配され、前記軸プレート３１と天板受け３２との間に形成される空間を側面から塞ぐ。より具体的には、この側面カバー３６は、前記天板受け３２の側板３２２、３２３内面に添接され、跳ね上げ姿勢（Ｆ）において前記空間の側方を覆うとともに前記使用姿勢（Ｕ）において前記天板受け３２内に没入し得るように構成されている。この側面カバー３６は、基端部を前記支軸３１３回りに回動可能に支持させた状態で、天板受け３２内に収容される没入位置（Ｂ）と前記空間を側方から塞ぐ突出位置（Ｔ）との間で回動し得る。具体的には、前記軸プレート３１の前記支軸３３１を挿通させるための軸孔３１４の開口端面にボス部３１５を形成しており、前記側面カバー３６の基端部に形成したボス受け孔３６ａを前記ボス部３１５に回動可能に外嵌させている。前記側面カバー３６は、左右の側面カバー本体３６１と、それら左右の側面カバー本体３６１同士を連結する連結片３６２とを有した断面視コ字状のものである。なお、前記軸プレート３１には、天板２が跳ね上げ姿勢（Ｆ）にある状態でこの側面カバー３６が天板２から離間する方向に回動することを規制するためのピン３１９が設けられている。
【００４１】
前記右の天板支持機構３Ｂは、図２、図４及び図９〜図１１に示すように、以上説明した左の天板支持機構３Ａと左右対称形状をなすものであり、同一又は対応する部分には同一の符号を付して説明を省略する。
【００４２】
＜連結ビーム＞
連結ビーム４は、図３及び図９に示すように、横断面円形をなすパイプ素材を所定長さに切断してなるビーム本体４１と、このビーム本体４１内の両端近傍部に剛結され雌ねじ孔を有する図示しない固定ナット板とを備えたものである。そして、この連結ビーム４により前記左右の天板支持機構３Ａ、３Ｂ同士を結合させることによって、前記メカユニット５が構成されている。すなわち、図６、図７、図１３及び図１４に示すように、前記左右の軸プレート３１に外側から貫通させたボルト４２を前記連結ビーム４の前記固定ナット板に螺着することによって、左右の天板支持機構３Ａ、３Ｂの軸プレート３１同士が連結されている。
【００４３】
＜メカユニット＞
メカユニット５は、図３及び図９に示すように、左右に対をなす天板支持機構３Ａ、３Ｂと、これら天板支持機構３Ａ、３Ｂの軸プレート３１、３１同士を連結する前記連結ビーム４と、前記天板支持機構３Ａ、３Ｂのロック爪駆動軸３３３、３３３同士を連結する操作連動ビーム５１１とを備えたものである。
【００４４】
左右の天板支持機構３Ａ、３Ｂにそれぞれ設けられた操作レバー３７の何れかを非操作位置（Ｎ）から操作位置（Ｍ）まで操作することにより、前記ロック爪３３によるロック状態を解除して前記天板２の姿勢を変更できるようになっている。
【００４５】
詳述すれば、このメカユニット５は、前記左右の天板支持機構３Ａ、３Ｂのロック爪３３を正逆両方向に同期して連動させる爪連動機構５１と、前記操作レバー３７の何れかに与えられた操作力は前記ロック爪３３に伝達されるが前記ロック爪３３の動きは他の操作レバー３７に伝達されないように構成された操作力伝達機構５２と、前記操作レバー３７を前記非操作位置に自己復帰させるための付勢要素たる図示しない前記ねじリコイルばねとを備えている。
【００４６】
前記爪連動機構５１は、各ロック爪３３に設けられた前記ロック爪駆動軸３３３と、これらロック爪駆動軸３３３同士を同期回動可能に連結する前記操作連動ビーム５１１とを備えたものである。
【００４７】
前記操作力伝達機構５２は、前記操作レバー３７の非操作位置（Ｓ）から操作位置（Ｒ）までの動きに対応して進退する前記進退部材３９と、この進退部材３９と前記ロック爪３３との間に設けられ前記進退部材３９の一方向の動きのみを前記ロック爪３３に伝達する一方向係合部５２１とを備えたものである。具体的には、一方向係合部５２１は、前記進退部材３９の先端部における部材本体３９１と折り返し部３９３との間に設けられ奥端３９４ａが閉塞された前記スリット３９４と、前記ロック爪３３に設けられ前記スリット３９４に遊動可能に係合させた駆動突起３３９とを具備してなる。
【００４８】
ここで、前記操作レバー３７、前記進退部材３９、前記ロック爪３３及び前記ロック爪駆動軸３３３は、前述したように左右の天板支持機構３Ａ、３Ｂにそれぞれ設けられたものである。前記操作連動ビーム５１は、左右の天板支持機構３Ａ、３Ｂに設けられたロック爪駆動軸３３３同士を一体回転可能に連結すべく前記左右の天板受け３２間に配されたものである。
【００４９】
次いで、このフラップ天板付家具の作動を説明する。
【００５０】
まず、図３〜図１１に示すように、天板２が跳ね上げ姿勢（Ｆ）にある状態では、ロック爪３３の跳ね上げロック部３３２の先端が軸プレート３１の第二の係止部３０２ａに係合し、天板２が前方に傾動することを禁止している。なお、図示例では、第二係合部３０２ａの形状等を明示するため、前記天板２を正規の跳ね上げ姿勢（Ｆ）を若干越えて完全に鉛直に起立した状態を示しているが、実際にはこの図示位置から天板２が若干前傾した跳ね上げ姿勢（Ｆ）で前記ロック爪３３の跳ね上げロック部３３２の先端が前記第二の係止部３０２ａに係合することになる。この跳ね上げ姿勢（Ｆ）から左右何れかの天板支持機構３Ａ、３Ｂに設けられた操作レバー３７を手前に回動操作すると、その操作レバー３７に対応するロック爪３３が初期位置（Ｓ）からロック解除位置（Ｒ）まで回動する。そして、一方のロック爪３３が回動すると、その回動力が操作連動ビーム５１を介して他方のロック爪３３に伝達され、他方のロック爪３３も初期位置（Ｓ）からロック解除位置（Ｒ）まで回動する。両ロック爪３３がロック解除位置（Ｒ）方向に回動すると、これらのロック爪３３の跳ね上げロック部３３２が前記第二の係止部３０２ａから離脱し、天板２のロック状態が解除される。そのため天板２を跳ね上げ位置（Ｆ）から使用位置（Ｕ）まで回動させることができる。操作レバー３７に対する操作を止めた状態で天板２が使用位置（Ｕ）に達すると、コイルスプリング３８に回動付勢されたロック爪３３の水平ロック部３３１が軸プレート３１の第一の係止部３０１ａにはまりこむことになり、前記天板２が使用位置（Ｕ）にロックされることになる。なお、前記跳ね上げ位置（Ｆ）から前記使用位置（Ｕ）に達する途中で操作レバー３７に対する操作を止めた場合でも、アーム状をなす前記ロック爪３３の跳ね上げロック部３３２が前記軸プレート３１の第二の爪受け３０２の前端部に案内されつつ移動するので、前記ロック爪３３は初期位置（Ｓ）に完全に復帰することなく適正な姿勢で使用姿勢（Ｕ）まで達することができる。かかる使用姿勢（Ｕ）において何れかの操作レバー３７を下方に回動操作すれば、前記両ロック爪３３の水平ロック部３３１が前記第一の係止部３０１ａから離脱し、前記天板２に対するロック状態が解除される。
【００５１】
以上のようにして、左右何れかの操作レバー３７を操作することにより、左右両天板支持機構３Ａ、３Ｂにおけるロック状態を制御することができるが、この実施形態においては、図１６〜図１８に示すように、左右何れか一方の操作レバー３７を操作してロック状態を制御している際には、他方の操作レバー３７は動作せず非操作位置（Ｎ）に保持される。すなわち、図１６に示すロック状態から図１７に示すように左の天板支持機構３Ａの操作レバー３７を操作すると、左右のロック爪３３が連動してロック解除位置（Ｒ）まで移動してロックが解除されるが、右の天板支持機構３Ｂの操作レバー３７は動作せず非操作位置（Ｎ）に保持される。詳述すれば、左の天板支持機構３Ａの操作レバー３７を操作すると、左右の両ロック爪３３がロック解除位置方向に回動するが、ロック爪３３の回動は、前記一方向係合部５２１の存在により、右の天板支持機構３Ｂの操作レバー３７には伝達されない。そのため、右の天板支持機構３Ｂの操作レバー３７は動作せず、非操作位置（Ｎ）に保持される。図１６に示すロック状態から図１８に示すように右の天板支持機構３Ｂの操作レバー３７を操作したときも、同様の機構により、左の天板支持機構３Ａの操作レバー３７は動作せず非操作位置（Ｎ）に保持される。
【００５２】
このような構成のものであれば、ロック爪３３の跳ね上げロック部３３２をアーム状をなす長尺のものとし、天板２の回動中心をなす支軸３１３と軸プレート３１の第二の係止部３０２ａとの間を離間させた上で前記跳ね上げロック部３３２と前記第二の係止部３０２ａとを係合させることにより天板２をより安定して跳ね上げ姿勢（Ｆ）に保持できるようにしつつ、側面視鎌形をなす前記ロック爪３３の水平ロック部３３１は小型のものとすることで、第一の係止部３０１ａの切欠き幅及び切欠き深さを小さくすることができ、軸プレート３１の強度を確保することが可能となる。
【００５３】
また、本実施形態の構成によれば、以下のような構成を得ることもできる。すなわち、前記軸プレート３１のヘッド部３１２が、前記使用姿勢（Ｕ）において前記天板受け３２を係止する上端面３０３ａを備えたヘッド部本体３０３と、このヘッド部本体３０３の内側面がわに一体に設けられ前記第一の係止部３０１ａを有する第一の爪受け３０１と、この第一の爪受け３０１の内側面３０１ｙに一体に設けられ前記第二の係止部３０２ａを有する第二の爪受け３０２とを備えているので、それぞれ厚み方向位置が異なる前記第一及び第二の爪受け３０１、３０２を備えた軸プレート３１を容易に形成することができる。。
【００５４】
さらに、第一の爪受け３０１が前記ヘッド部本体３０３の前面３０３ｂと面一な前面３０１ｘを有し、前記第一の係止部３０１ａが前記前面３０１ｘ及び内側面３０１ｙに開口し側面視鎌形をなす前記水平ロック部３３１の先端部と係合可能な凹陥形状をなすので、このような第一の係止部３０１ａに側面視鎌形をなす前記水平ロック部３３１を無理なく係止させることができる。
【００５５】
また、前記第二の爪受け３０２が、前面３０２ｘを前記ヘッド部本体３０３の前面３０３ｂよりも後方に控えた状態で前記第一の爪受け３０１の内側面３０１ｙに一体に突設されたものであり、前記第二の係止部３０２ａがこの第二の爪受け３０２の上端面３０２ｂに凹設されたものであれば、前記天板２を回動させて跳ね上げ姿勢（Ｆ）から使用姿勢（Ｕ）に、またはその逆に移動させる際に、アーム状の跳ね上げロック部３３２が長尺のものであっても第二の爪受け３０２を乗り越えて移動させることができるとともに、第二の爪受け３０２の前端面３０２ｂをカム面とし、この前端面３０２ｂに跳ね上げロック部３３２を摺接させることにより天板２の移動中にロック爪３３を案内させることもできる。
【００５６】
なお、本発明は以上に述べた実施形態に限らない。
【００５７】
例えば、上述した実施形態のフラップ天板付家具は、左右対をなす脚体に、左右対をなす天板支持機構を介して天板を支持させているが、本発明は、以下に述べるような実施形態を採用することもできる。以下、本発明の他の実施形態について、図１９〜図２３を参照して説明する。なお、図１〜図１８を参照して前述した実施形態（以下、第一実施形態と称する）にかかるものに対応する各部位には、同一の名称及び符号を付している。
【００５８】
本実施形態のフラップ天板付家具は、一本の脚体１と、この脚体１上に配される天板２と、この天板２を前記脚体１に使用姿勢（Ｕ）から跳ね上げ姿勢（Ｆ）までの間でフラップ動作し得るように支持させる左右対をなす天板支持機構３とを備えている。以下、前記各構成要素について詳述する。
【００５９】
前記脚体１Ａ、図１９〜図２１に示すように、平面視十字状をなし４本の脚羽根１１１を有する脚ベース１１と、この脚ベース１１の中央部から起立する支柱１２と、前記脚ベース１１の各脚羽根１１１の先端にそれぞれ設けたキャスタ１４とを備えてなる。
【００６０】
前記天板２は、図１９〜図２１に示すように、略正方形状をなすものであり、例えば通常の木製天板と同様な構成をなしている。そして、この天板２の下面２ａの中央部には補強板８０が接続されており、この補強板８０のさらに下方に前記天板支持機構３を構成する天板受け３２が取り付けられる。
【００６１】
前記天板支持機構３は、図２１〜図２３に示すように、前記脚体１に取り付けられるブロック状の軸プレート３１と、この軸プレート３１に軸支持され上面で前記天板２を受ける天板受け３２と、この天板受け３２を前記使用姿勢（Ｕ）及び前記跳ね上げ姿勢（Ｆ）に選択的にロックするためのロック爪３３とを備えている。
【００６２】
前記軸プレート３１は、前記脚体１の上面に取り付けられる取付部３１１と、この取付部３１１の上方に一体に設けられ前記天板受け３２を支軸３１３を介して軸支持するヘッド部３１２とを備えたものである。
【００６３】
前記軸プレート３１のヘッド部３１２は、図２２及び図２３に示すように、前記使用姿勢（Ｕ）に達した天板２を前記天板受け３２を介して上端面３０３ａにより受け止めるヘッド部本体３０３と、このヘッド部本体３０３の左右両側にそれぞれ一体に設けられ前記ロック爪３３の後述する水平ロック部３３１が係わり合い前記天板２を使用姿勢（Ｕ）にロックする第一の係止部３０１ａを有する左右の第一の爪受け３０１と、左右両第一の爪受け３０１の外側面３０１ｚにそれぞれ一体に設けられ前記ロック爪３３の後述する跳ね上げロック部３３２が係わり合い前記天板２を跳ね上げ姿勢（Ｆ）にロックする第二の係止部３０２ａを有する左右の第二の爪受け３０２とを備えている。
【００６４】
前記第一の爪受け３０１は、前記ヘッド部本体３０３の前面３０３ｂと面一な前面３０１ｘを有する。前記第一の係止部３０１ａは、前記前面３０１ｘ及び外側面３０１ｚに開口した凹陥形状をなすものである。
【００６５】
前記第二の爪受け３０２は、前面３０２ｘを前記ヘッド部本体３０３の前面３０３ｂよりも後方に控えた状態で前記第一の爪受け３０１の外側面３０１ｚに一体に突設された庇状のものである。前記第二の係止部３０２ａは、この第二の爪受け３０２の上端面３０２ｂに凹設されている。
【００６６】
前記天板受け３２は、第一実施形態におけるものと同様の構成を有するので、詳細な説明は省略する。
【００６７】
前記ロック爪３３は、図２２及び図２３に示すように、前記軸プレート３１の左右両側にそれぞれ配されている。各ロック爪３３は、それぞれ、前述した第一実施形態に係るものと同様の構成を有する。すなわち、各ロック爪３３は、それぞれ、第一の係止部３０１ａに係合する側面視鎌形の水平ロック部３３１と、前記第二の係止部３０２ａに係合するアーム状の跳ね上げロック部３３２とを一体に備えており、基端部に前記ロック爪駆動軸３３３が一体回転可能に貫装されている。前記水平ロック部３３１と前記跳ね上げロック部３３２とは、互いに厚み方向に偏位している。すなわち、前記水平ロック部３３１の基端部の一側面に前記跳ね上げロック部３３２の基端部を隣接させて一体に形成されている。また、前記跳ね上げロック部３３２は前記水平ロック部３３１と比較して長尺であり、その先端部が前記第二の係止部３０２ａに係合しうるようになっている。また、左右のロック爪３３は、前記軸プレート３１の幅方向中心を挟んで対称であり、図示しないロック爪駆動軸により連動して回動することができるように接続されている。各ロック爪３３のその他の部位も、前述した第一実施形態に係るものと同様の構成を有するので、詳細な説明は省略する。そして、右のロック爪３３の駆動突起３３９は、進退部材３９を介してロック解除操作用の操作レバー３７から操作力の伝達を受けるようになっている。
【００６８】
前記進退部材３９、及び前記操作レバー３７は、上述した第一実施形態に係るものと同様の構成を有するので、詳細な説明は省略する。
【００６９】
また、この天板支持機構３は、前記軸プレート３１と天板受け３２との間に形成される空間を塞ぐようにして前記天板受け３２に設けられた第一の前面カバー３４及び第二の前面カバー３５を備えている。これら第一及び第二の前面カバー３４、３５も、上述した第一実施形態に係るものと同様の構成を有するので、詳細な説明は省略する。
【００７０】
そして、このフラップ天板付家具の天板２が跳ね上げ姿勢（Ｆ）にある状態から使用姿勢（Ｕ）にある状態へ移動する際、及び天板２がその逆方向に移動する際の各部の作動も、上述した第一実施形態に係るものと同様であるので、詳細な説明は省略する。
【００７１】
上述した実施形態の構成によっても、第一実施形態における構成による効果と同様の効果を得ることができる。
【００７２】
また、ロック爪の水平ロック部及び跳ね上げロック部がそれぞれ厚み方向に偏位しており、軸プレートの第一及び第二の係止部がこれに対応してそれぞれ厚み方向に偏位しているとともに、前記跳ね上げロック部が前記水平ロック部と比較して長尺である限りにおいて、前記水平ロック部及び前記跳ね上げロック部の形状がどのようなものであっても、さらに、第一及び第二の係止部の形状がどのようなものであっても、以下に述べるような本発明の最も主要な効果を得ることができる。すなわち、天板の回動中心と係止部との間を離間させて天板をより安定して跳ね上げ姿勢に保持できるようにしつつ、水平ロック部には小型のものを用いることで、第一の係止部である切欠きを小さくし、軸プレートの強度を確保することが可能となるという効果を得ることができる。
【００７３】
加えて、軸プレートにおいて第一の爪受けと第二の爪受けとが離間したものであっても、第一の爪受けと第二の爪受けとが厚み方向に偏位している限り、本発明の最も主要な効果は得ることができる。
【００７４】
そして、前記第一実施形態では、前記ヘッド部本体の上端面と、前記第一の爪受けの上端面とが面一であるが、前記ヘッド部本体の上端面、前記第一の爪受けの上端面及び前記第二の爪受けの上端面が全て面一であり、さらに、これらヘッド部本体第一の爪受け及び前記第二の爪受けの上端面の全体で天板を支持するようにすれば、天板を安定して使用位置に保持させるようにすることもできる。
【００７５】
その他、本発明の趣旨を損ねない範囲で種々に変更してよい。
【符号の説明】
【００７６】
１Ａ、１Ｂ…脚体
２…天板
３Ａ、３Ｂ…天板支持機構
３１…軸プレート
３０１ａ…第一の係止部
３０２ａ…第二の係止部
３１３…支軸
３２…天板受け
３３…ロック爪
３３１…水平ロック部
３３２…跳ね上げロック部
（Ｕ）…使用姿勢
（Ｆ）…跳ね上げ姿勢
【図１】
0006679882.tif 000002
【図２】
0006679882.tif 000003
【図３】
0006679882.tif 000004
【図４】
0006679882.tif 000005
【図５】
0006679882.tif 000006
【図６】
0006679882.tif 000007
【図７】
0006679882.tif 000008
【図８】
0006679882.tif 000009
【図９】
0006679882.tif 000010
【図１０】
0006679882.tif 000011
【図１１】
0006679882.tif 000012
【図１２】
0006679882.tif 000013
【図１３】
0006679882.tif 000014
【図１４】
0006679882.tif 000015
【図１５】
0006679882.tif 000016
【図１６】
0006679882.tif 000017
【図１７】
0006679882.tif 000018
【図１８】
0006679882.tif 000019
【図１９】
0006679882.tif 000020
【図２０】
0006679882.tif 000021
【図２１】
0006679882.tif 000022
【図２２】
0006679882.tif 000023
【図２３】
0006679882.tif 000024